(57)【要約】【課題】遊技機本来の遊技制御動作に特に支障を与えることなく、セキュリティレベルを向上させる。【解決手段】センサ部３０と判定部２５とが接続されて構成された異常検出回路ＤＥＴを有する。センサ部３０は、複数個の抵抗が直列接続されてなる分圧回路３１と、複数個の抵抗に対応する磁気センサＳＷｉと、分圧回路３１の上流端に接続される電源電圧Ｖｃｃとを有して構成される。最下流位置に配置された磁気スイッチＳＷ３は、分圧回路３１の下流端とグランドとの間に接続され、その他のスイッチ素子ＳＷ０〜ＳＷ２は、分圧回路３１において隣接する２つの抵抗の接続点とグランドとの間に接続され、分圧回路３１の最上流位置に配置された２つの抵抗Ｒ０，Ｒ１の接続点の電圧を、異常検知信号Ｖｅとして判定部２５に供給する。【選択図】図４
2008142370.tif 000002
【特許請求の範囲】
【請求項１】
遊技者の動作に関連する所定の検出状態が発生すると、これに起因する当否抽選によって遊技者に有利な利益状態を発生させるか否かを決定する遊技機であって、
センサ部と判定部とが接続されて構成された異常検出回路を有し、
前記センサ部は、複数個の抵抗が直列接続されてなる分圧回路と、前記複数個の抵抗に対応するスイッチ素子と、前記分圧回路の上流端に接続される電源電圧とを有して構成され、
前記電源電圧に対して最下流位置に配置されたスイッチ素子は、前記分圧回路の下流端とグランドとの間に接続され、その他のスイッチ素子は、前記分圧回路において隣接する２つの抵抗の接続点とグランドとの間に接続され、
前記分圧回路の最上流位置に配置された２つの抵抗の接続点の電圧を、異常検知信号として前記判定部に供給している
ことを特徴とする遊技機。
【請求項２】
遊技者の動作に関連する所定の検出状態が発生すると、これに起因する当否抽選によって遊技者に有利な利益状態を発生させるか否かを決定する遊技機であって、
センサ部と判定部とが接続されて構成された異常検出回路を有し、
前記センサ部は、電源電圧とグランドとの間に複数個の抵抗が直列接続されてなる分圧回路と、前記複数個の抵抗に対応するスイッチ素子とを有して構成され、
前記電源電圧に対して最上流位置に配置されたスイッチ素子は、前記電源電圧と出力端子との間に接続され、その他のスイッチ素子は、前記分圧回路において隣接する２つの抵抗の接続点と前記出力端子との間に接続され、
前記出力端子の電圧を、異常検知信号として前記判定部に供給している
ことを特徴とする遊技機。
【請求項３】
遊技者の動作に関連する所定の検出状態が発生すると、これに起因する当否抽選によって遊技者に有利な利益状態を発生させるか否かを決定する遊技機であって、
センサ部と判定部とが接続されて構成された異常検出回路を有し、
前記センサ部は、２つの入力端子と１つの出力端子を有し増幅率が略無限大の増幅素子と、前記増幅素子の入力端子の一方にゼロ電位を供給するダミー抵抗と、前記増幅素子の入力端子の一方に、基準電位を共通して供給する複数Ｎ組の入力抵抗Ｒｉ及びスイッチ素子ＳＷｉの直列接続部と、前記増幅素子の出力端子と入力端子との間に接続される帰還抵抗とで、実現される加算回路を有して構成され（ｉ＝０〜Ｎ−１）、
前記入力抵抗Ｒｉは、基準抵抗値Ｒに対して、Ｒ×２ｉ又はＲ／２ｉに設定され、
前記増幅素子の出力端子の電圧を、異常検知信号として前記判定部に供給している
ことを特徴とする遊技機。
【請求項４】
前記判定部は、Ａ／Ｄコンバータと、前記Ａ／Ｄコンバータの出力を受けるＣＰＵとを有して構成される請求項１〜３の何れかに記載の遊技機。
【請求項５】
前記センサ部と前記判定部とは、異なる回路基板に設けられている請求項１又は２に記載の遊技機。
【請求項６】
前記センサ部は、分圧回路の最上流位置の抵抗と電源電圧とを除いて、第1の回路基板に配置され、
前記センサ部のその他の部分は、前記判定部と共に別の第２の回路基板に配置されている請求項１に記載の遊技機。
【請求項７】
前記複数Ｎ組の入力抵抗Ｒｉ及びスイッチ素子ＳＷｉの直列接続部は、第1の回路基板に配置され、その他のセンサ部は前記判定部と共に別の第２の回路基板に配置されている請求項３に記載の遊技機。
【発明の詳細な説明】
【技術分野】
【０００１】
本発明は、コンピュータ回路を備えて構成される遊技機に関し、特に、回路構成を複雑化することなく、多様な違法行為を確実に検出できる遊技機に関する。
【背景技術】
【０００２】
パチンコ機などの弾球遊技機は、遊技盤に設けた図柄始動口と、複数の表示図柄による一連の図柄変動態様を表示する図柄表示部と、開閉板が開閉される大入賞口などを備えて構成されている。そして、図柄始動口に設けられた検出スイッチが遊技球の通過を検出すると入賞状態となり、遊技球が賞球として払出された後、図柄表示部では表示図柄が所定時間変動される。その後、７−７−７などの所定の態様で図柄が停止すると大当り状態となり、大入賞口が繰返し開放されて、遊技者に有利な利益状態を発生させている。
【０００３】
そのため、意図的な入賞状態を発生させるため、強力な永久磁石を使用して、図柄始動口やその他の入賞口に遊技球を誘導する違法行為が懸念されるところである。そこで、磁界に反応してＯＮ／ＯＦＦ動作をするリードスイッチを適所に配置して、永久磁石の悪用を検知するようにしている（例えば、特許文献１）。
【特許文献１】特開２００５−１３７８７７公報
【発明の開示】
【発明が解決しようとする課題】
【０００４】
特許文献１に記載の回路構成では、1個のリードスイッチのために、回路基板間に設けられる配線数は三本であるため、多数のリードスイッチを配置した場合には、配線数も膨大なものとなり、例えば、ｎ個のリードスイッチに対応して、配線数は２×ｎ＋１本になると思われる。
【０００５】
ところが、回路基板上の限られたスペースに多数の回路素子を配置し、より複雑で高度な遊技動作を実行するためには、どの回路基板でも、多数のポートやコネクタを使用するため、自由に使用できるポートやコネクタに余裕がないのが実情である。
【０００６】
そのため、特許文献１のような従来の回路構成では、セキュリティ上の必要性はあっても、結局は、センサの配置を断念せざるを得ないことになる。
【０００７】
しかし、セキュリティレベルを向上させるためには、ドアスイッチも含め、多数のセンサを必要な箇所に配置すべきであり、これを簡易な回路構成で実現できれば、遊技機本来の制御動作に支障を与えることもない。本発明は、上記の実情に鑑みてなされたものであって、遊技機本来の遊技制御動作に特に支障を与えることなく、セキュリティレベルを向上させることのできる遊技機を提供することを目的とする。
【課題を解決するための手段】
【０００８】
上記の目的を達成するため、請求項１に係る発明は、遊技者の動作に関連する所定の検出状態が発生すると、これに起因する当否抽選によって遊技者に有利な利益状態を発生させるか否かを決定する遊技機であって、センサ部と判定部とが接続されて構成された異常検出回路を有し、前記センサ部は、複数個の抵抗が直列接続されてなる分圧回路と、前記複数個の抵抗に対応するスイッチ素子と、前記分圧回路の上流端に接続される電源電圧とを有して構成され、前記電源電圧に対して最下流位置に配置されたスイッチ素子は、前記分圧回路の下流端とグランドとの間に接続され、その他のスイッチ素子は、前記分圧回路において隣接する２つの抵抗の接続点とグランドとの間に接続され、前記分圧回路の最上流位置に配置された２つの抵抗の接続点の電圧を、異常検知信号として前記判定部に供給している。
【０００９】
本発明のセンサ部は、好ましくは、分圧回路の最上流位置の抵抗と電源電圧とを除いて、第1の回路基板に配置され、センサ部のその他の部分は、前記判定部と共に別の第２の回路基板に配置されている。但し、センサ部の全てが、前記判定部とは、異なる回路基板に設けられているのも好ましい。
【００１０】
また、請求項２に係る発明は、遊技者の動作に関連する所定の検出状態が発生すると、これに起因する当否抽選によって遊技者に有利な利益状態を発生させるか否かを決定する遊技機であって、センサ部と判定部とが接続されて構成された異常検出回路を有し、前記センサ部は、電源電圧とグランドとの間に複数個の抵抗が直列接続されてなる分圧回路と、前記複数個の抵抗に対応するスイッチ素子とを有して構成され、前記電源電圧に対して最上流位置に配置されたスイッチ素子は、前記電源電圧と出力端子との間に接続され、その他のスイッチ素子は、前記分圧回路において隣接する２つの抵抗の接続点と前記出力端子との間に接続され、前記出力端子の電圧を、異常検知信号として前記判定部に供給している。
【００１１】
本発明では、前記センサ部と前記判定部とは、異なる回路基板に設けられているのが好ましい。
【００１２】
請求項３に係る発明は、遊技者の動作に関連する所定の検出状態が発生すると、これに起因する当否抽選によって遊技者に有利な利益状態を発生させるか否かを決定する遊技機であって、センサ部と判定部とが接続されて構成された異常検出回路を有し、前記センサ部は、２つの入力端子と１つの出力端子を有し増幅率が略無限大の増幅素子と、前記増幅素子の入力端子の一方にゼロ電位を供給するダミー抵抗と、前記増幅素子の入力端子の一方に、基準電位を共通して供給する複数Ｎ組の入力抵抗Ｒｉ及びスイッチ素子ＳＷｉの直列接続部と、前記増幅素子の出力端子と入力端子との間に接続される帰還抵抗とで、実現される加算回路を有して構成され（ｉ＝０〜Ｎ−１）、前記入力抵抗Ｒｉは、基準抵抗値Ｒに対して、Ｒ×２ｉ又はＲ／２ｉに設定され、前記増幅素子の出力端子の電圧を、異常検知信号として前記判定部に供給している。
【００１３】
本発明では、前記複数Ｎ組の入力抵抗Ｒｉ及びスイッチ素子ＳＷｉの直列接続部は、第1の回路基板に配置され、その他のセンサ部は前記判定部と共に別の第２の回路基板に配置されているのが好ましい。また、上記何れの発明においても、前記判定部は、Ａ／Ｄコンバータと、前記Ａ／Ｄコンバータの出力を受けるＣＰＵとを有して構成されるのが好ましい。
【発明の効果】
【００１４】
上記した本発明によれば、遊技機本来の遊技制御動作に特に支障を与えることなく、必要なセンサ類を幾らでも配置できる遊技機を実現できる。
【発明を実施するための最良の形態】
【００１５】
以下、実施例に係る弾球遊技機に基づいて本発明を詳細に説明する。図１は、本実施例のパチンコ機を示す正面図である。図示のパチンコ機は、島構造体に着脱可能に装着される矩形枠状の木製外枠１と、外枠１に固着された第１ヒンジ２Ａを介して開閉可能に枢着される前枠３とで構成されている。この前枠３には、遊技盤５が裏側から着脱自在に装着され、その前側には、ガラス扉（開閉扉）６と前面板７とが夫々開閉自在に枢着されている。
【００１６】
前面板７には発射用の遊技球を貯留する上皿８が装着され、前枠４の下部には、上皿８から溢れ出し又は抜き取った遊技球を貯留する下皿９と、発射ハンドル１０とが設けられている。発射ハンドル１０は発射モータＭ２と連動しており、発射ハンドル１０の回動角度に応じて動作する打撃槌によって遊技球が発射される。
【００１７】
上皿８の外周面には、チャンスボタン１１が設けられている。このチャンスボタン１１は、遊技者の左手で操作できる位置に設けられており、遊技者は、発射ハンドル１０から右手を離すことなくチャンスボタン１１を操作できる。このチャンスボタン１１は、通常時には機能していないが、ゲーム状態がボタンチャンス状態となると内蔵ランプが点灯されて操作可能となる。なお、ボタンチャンス状態は、必要に応じて設けられるゲーム状態である。
【００１８】
上皿８の右部には、カード式球貸し機に対する球貸し操作用の操作パネル１２が設けられ、カード残額を３桁の数字で表示する度数表示部と、所定金額分の遊技球の球貸しを指示する球貸しスイッチと、ゲーム終了時にカードの返却を指令する返却スイッチとが設けられている。
【００１９】
上皿８の更に右部には、遊技機を開放するための鍵穴ＨＯが設けられている。そして、鍵穴ＨＯに開錠キーを挿入して時計方向に少し回転すると、ガラス扉６が前枠３から開放されるよう構成されている。また、鍵穴ＨＯに挿入した開錠キーを大きく回転すると、前枠３が外枠１から開放されるようになっている。この前枠３の開放状態では、遊技盤５や各制御基板２０〜２６が前枠３と一体的に開放される。
【００２０】
本実施例では、ガラス扉６が前枠３から開放されたこと、及び、前枠３が外枠１から開放されたことが検出できるよう、適所にドアスイッチが配置されている。また、ガラス扉６が前枠３から開放された状態では、前面板７を前枠３から開放することもできるが、この開放状態についてもドアスイッチによって検出可能に構成されている。
【００２１】
図２（ａ）に示すように、遊技盤５には、金属製の外レールと内レールとからなるガイドレール１３が環状に設けられ、その内側の遊技領域５ａの略中央には、液晶カラーディスプレイＤＩＳＰが配置されている。また、遊技領域５ａの適所には、図柄始動口１５、大入賞口１６、複数個の普通入賞口１７（大入賞口１６の左右に４つ）、２つの通過口であるゲート１８が配設されている。これらの入賞口１５〜１８は、それぞれ内部に検出スイッチを有しており、遊技球の通過を検出できるようになっている。
【００２２】
本実施例では、各入賞口１５〜１８に対応して、異常磁界に反応してＯＮ動作する磁気センサたるリードスイッチＳＷが配置されている。磁気センサＳＷは、具体的には図２（ｂ）に示す通りであり、不活性ガスが封入されたガラス管の中に、先端に強磁性体Ｃ１，Ｃ２が固着された板バネＳＰが配置されて構成されている。
【００２３】
遊技機が通常の遊技動作をしている場合には、リードスイッチＳＷの周りには、特別に強い磁界は存在しない。したがって、２つの強磁性体Ｃ１，Ｃ２は離間しており、２つのリード端子間Ｔ１，Ｔ２は電気的にＯＦＦ状態となる。一方、不正遊技者が強力な磁石を使用して、遊技球を入賞口に誘導したような場合には、その強力な磁界に反応して、強磁性体Ｃ１，Ｃ２が磁化されて互いに磁着され、リード端子間Ｔ１，Ｔ２間が電気的に短絡される。そこで、リードスイッチＳＷがＯＮ状態に遷移したことに基づいて違法行為を検出できることになる。
【００２４】
液晶ディスプレイＤＩＳＰは、大当り状態に係わる特定図柄を変動表示すると共に背景画像や各種のキャラクタなどをアニメーション的に表示する装置である。この液晶ディスプレイＤＩＳＰは、中央部に特別図柄表示部Ｄａ〜Ｄｃと右上部に普通図柄表示部１９を有している。そして、特別図柄表示部Ｄａ〜Ｄｃでは、大当り状態の招来を期待させるリーチ演出が実行され、特別図柄表示部Ｄａ〜Ｄｃ及びその周りでは、当否結果を不確定に報知する予告演出などが実行される。
【００２５】
普通図柄表示部１９は普通図柄を表示するものであり、ゲート１８を通過した遊技球が検出されると、表示される普通図柄が所定時間だけ変動し、遊技球のゲート１８の通過時点において抽出された抽選用乱数値により決定される停止図柄を表示して停止するようになっている。
【００２６】
図柄始動口１５は、左右１対の開閉爪１５ａを備えた電動式チューリップで開閉されるよう例えば構成され、普通図柄表示部１９の変動後の停止図柄が当り図柄を表示した場合には、開閉爪１５ａが所定時間だけ開放されるようになっている。図柄始動口１５に遊技球が入賞すると、特別図柄表示部Ｄａ〜Ｄｃの表示図柄が所定時間だけ変動し、図柄始動口１５への遊技球の入賞タイミングに応じた抽選結果に基づいて決定される停止図柄で停止する。なお、特別図柄表示部Ｄａ〜Ｄｃ及びその周りでは、一連の図柄演出の間に、予告演出が実行される場合がある。
【００２７】
大入賞口１６は、例えば前方に開放可能な開閉板１６ａで開閉制御されるが、特別図柄表示部Ｄａ〜Ｄｃの図柄変動後の停止図柄が「７７７」などの大当り図柄のとき、「大当り」と称する特別遊技が開始され、開閉板１６ａが開放されるようになっている。大入賞口１６の内部に入賞領域１６ｂが設けられている。
【００２８】
大入賞口１６の開閉板１６ａが開放された後、所定時間が経過し、又は所定数（例えば１０個）の遊技球が入賞すると開閉板１６ａが閉じる。このような動作は、最大で例えば１５回まで特別遊技が継続され、遊技者に有利な状態に制御される。なお、特別図柄表示部Ｄａ〜Ｄｃの変動後の停止図柄が特別図柄のうちの特定図柄であった場合には、特別遊技の終了後のゲームが高確率状態（確変状態）となるという特典が付与される。通常、この特定図柄による大当りを「確変大当り」と言う。
【００２９】
図３は、上記した各動作を実現するパチンコ機１の全体回路構成を示すブロック図である。図中の破線は、主に、直流電圧ラインを示している。
【００３０】
図示の通り、このパチンコ機１は、ＡＣ２４Ｖを受けて各種の直流電圧を出力すると共に電源投入時にシステムリセット信号を出力する電源基板２０と、遊技動作を統括的に制御する主制御基板２１と、主制御基板２１から受けた制御コマンドＣＭＤに基づいてランプ演出及び音声演出を実行する演出制御基板２２と、演出制御基板２２から受けた信号を各部に伝送する演出インターフェイス基板２３と、演出インターフェイス基板２３から受けた制御コマンドＣＭＤ’に基づいて液晶ディスプレイＤＩＳＰを駆動する液晶制御基板２４と、主制御基板２１から受けた制御コマンドＣＭＤ”に基づいて払出モータＭを制御して遊技球を払い出す払出制御基板２５と、遊技者の操作に応答して遊技球を発射させる発射制御基板２６とを中心に構成されている。
【００３１】
ここで、主制御基板２１、演出制御基板２２、液晶制御基板２４、及び払出制御基板２５には、ワンチップマイコンを備えるコンピュータ回路がそれぞれ搭載されている。そこで、主制御基板２１、演出制御基板２２、液晶制御基板２４、及び払出制御基板２５に搭載された回路及びその回路によって実現される動作を機能的に総称して、以下の説明では、主制御部２１、演出制御部２２、液晶制御部２４、及び払出制御部２５と言うことがある。また、演出制御部２２、液晶制御部２４、及び払出制御部２５の全部又は一部がサブ制御部である。
【００３２】
図３に示す通り、主制御基板２１は、コマンド中継基板２９に接続されると共に、遊技盤中継基板２７を経由して、遊技盤５の各遊技部品に接続されている。そして、遊技盤上の各入賞口１６〜１８に内蔵された検出スイッチのスイッチ信号を受ける一方、電動チューリップなどのソレノイド類を駆動している。なお、図柄始動口１５からのスイッチ信号については、遊技盤中継基板２７を経由することなく、直接、主制御部２１が受けている。
【００３３】
払出制御部２５は、主制御部２１から受けた制御コマンドＣＭＤ”に基づいて指定された賞球を払出している。具体的には、払出モータＭ１を所定数回転させることで必要な賞球動作を実現している。そして、遊技球の払出動作を示す賞球計数信号や、払出動作の異常に係わるステイタス信号ＣＯＮを主制御部２１に送信している。
【００３４】
また、払出制御部２５は、発射制御基板２６に対して、交流電圧ＡＣ２４Ｖと発射制御信号ＣＴＬを出力している。この発射制御信号ＣＴＬは、発射モータＭ２を動作させる条件となるものであり、発射制御信号ＣＴＬがＬレベルであると遊技球の発射動作が禁止される。
【００３５】
更にまた、払出制御部２５は、主制御部２１に対して、不正遊技の疑いを示す異常信号ＥＲと、上記したステイタス信号ＣＯＮとを出力している。ここで、異常信号ＥＲが、正常なＬレベルの場合には、ステイタス信号ＣＯＮは、補給切れ信号、払出不足エラー信号、下皿満杯信号などとして機能する。一方、異常信号ＥＲが、異常レベルであるＨレベルの場合には、ステイタス信号ＣＯＮによって異常個所が特定されるようになっている。
【００３６】
図３に示す通り、払出制御部２５は、ホールコンピュータに対して、賞球信号とドア信号ＤＲと異常信号ＥＲとを出力している。ホールコンピュータとは、遊技ホールの全遊技機の一元管理をするコンピュータ機器であり、各遊技機から受けた賞球信号に基づいて、払出モータＭ１の賞球動作を管理している。
【００３７】
ドア信号ＤＲは、(1)ガラス扉６が前枠３から開放されたこと、(2)前枠３が外枠１から開放されたこと、(3)前面板７を前枠３から開放されたことを示す２ビット長の信号である。また、異常信号ＥＲは、遊技盤５の適所に配置された複数の磁気センサＳＷｉ（図２（ｂ）参照）の何れかがＯＮ動作をしたことを示す１ビット長の信号である。そして、磁気センサ（リードスイッチ）ＳＷｉの異常反応を検知した場合には、払出制御部２５は、ホールコンピュータに異常信号ＥＲを出力すると共に、主制御部２１にもＨレベルの異常信号ＥＲを出力している。
【００３８】
本実施例では、この異常報知のタイミングに限り、複数ビットのステイタス信号ＣＯＮは異常内容を特定しており、具体的には、２ビット又は３ビットの異常ステイタス信号ＣＯＮによって、異常反応を示した磁気センサＳＷを特定するようにしている。
【００３９】
異常信号ＥＲと異常ステイタス信号ＣＯＮとを受けた主制御部２１では、異常個所を特定した異常報知コマンドＣＭＤを演出制御部２２に伝送して、遊技制御動作を一時的に中止する。一方、演出制御部２２では、液晶制御部２４に異常報知コマンドＣＭＤ’を転送すると共にして、自らは音声による異常報知を実行する。また、液晶制御部２４は、液晶ディスプレイに異常個所を表示するよう動作する。
【００４０】
したがって、ホールコンピュータに伝送された異常信号ＥＲを受けて現場に急行したホール係員は、異常個所も含めて異常発生状態を確認することができる。なお、このタイミングでは遊技者が逃走している可能性が高いが、この場合でも磁石によって狙われた遊技盤上の位置が、液晶ディスプレイ上に表示されているので、例えば、遊技メーカに連絡することで、その後の機器設計上の有力な情報として活用される。
【００４１】
図４（ａ）は、以上の動作を実現する異常検出回路ＤＥＴを示す回路図である。異常検出回路ＤＥＴは、センサ機能を発揮するセンサ部たる不正検知基板３０と、判定機能を発揮する判定部たる払出制御基板２５とが接続されて構成される。図４（ａ）に示す通り、第１実施例の不正検知基板３０には、抵抗Ｒ０〜Ｒｎが直列接続されてなる分圧回路３１と、各抵抗Ｒ０〜Ｒｎに接続された磁気センサＳＷ０〜ＳＷｎと、電源電圧Ｖｃｃとが設けられている。そして、電源電圧側である最上流の２つの抵抗Ｒ０，Ｒ１の接続点の電圧が、異常検知信号Ｖｅとして払出制御基板２５に出力されている。なお、ここでは、抵抗及び磁気センサとも４個が使用されている。
【００４２】
実施例の分圧回路３１は、同一抵抗値Ｒを有する４個の抵抗Ｒ０〜Ｒ３で構成され、各抵抗Ｒ０〜Ｒ３は、直列接続されて上流端が電源電圧Ｖｃｃに接続されている。そして、最下流の磁気センサＳＷ３は、最下流の抵抗Ｒ３の開放端とグランドとの間に接続され、その他の磁気センサＳＷ０〜ＳＷ２は、抵抗Ｒ０〜Ｒ３の各接続点とグランドとの間に接続されている。なお、一般化すると、最下流の磁気センサＳＷｎは、最下流の抵抗Ｒｎの開放端とグランドとの間に接続され、その他の磁気センサＳＷｉは、隣接する抵抗Ｒｉ及び抵抗Ｒｉ＋１の接続点とグランドとの間に接続されている。
【００４３】
先に説明した通り、磁気センサＳＷｉは、直流磁界に反応してオン状態となるので、何れかの磁気センサＳＷｉがオン状態になると（下流側の磁気センサが合わせてオン状態である場合も含め）、不正検知基板３０からは、Ｖｅ＝ｉ／（ｉ＋１）×Ｖｃｃの異常検知電圧Ｖｅが出力される（図６（ｂ）参照）。なお、正常時には、全ての磁気センサＳＷがオフ状態であり、不正検知基板３０から、Ｖｅ＝Ｖｃｃの電源電圧が出力される。
【００４４】
上記した不正検知基板３０の構成に対応して、払出制御基板２５には、高入力インピーダンスのバッファ３２と、バッファ３２のアナログ出力を受けるＡ／Ｄコンバータ３３と、Ａ／Ｄコンバータ３３のデジタル出力を受ける入力ポート３４が設けられている。なお、ＣＰＵコア３５は、入力ポート３４を通して、異常の有無及び異常個所を把握し、異常時には出力ポート３６を通して、異常信号ＥＲと異常ステイタス信号ＣＯＮとを主制御部２１に出力している。なお、この実施例では、異常信号ＥＲは１ビット、異常ステイタス信号は２ビットである。
【００４５】
本実施例では、バッファ３２としてＯＰアンプが使用され、その非反転入力端子（＋）は、コンデンサＣを経由してグランドに接続されると共に、抵抗Ｒ０と抵抗Ｒ１と磁気センサＳＷ０の接続点から異常検知信号Ｖｅを受けている。また、バッファ３２の出力端子は、反転入力端子（−）に接続されると共に、Ａ／Ｄコンバータ３３に接続されている。なお、Ａ／Ｄコンバータ３３の入力インピーダンスが十分に高い場合には、バッファ３２を省略することもできる。但し、この場合でも、ノイズ対策上、異常検知信号Ｖｅを受ける入力端子とグランド間には、コンデンサＣを設けるのが好ましい。
【００４６】
本実施例のＡ／Ｄコンバータ３３は、８ｂｉｔの分解能を有している。そのため、バッファ３２を経由して受ける異常検知信号Ｖｅ＝ｉ／（ｉ＋１）×Ｖｃｃ（＝０〜Ｖｃｃ）のレベルに応じて、Ａ／Ｄコンバータ３３は、０〜２５５の整数値Ｄｉの何れかを出力する。図６（ｂ）は、４個の磁気センサＳＷ０〜ＳＷ３の何れかがオン状態となった時の、異常検知信号Ｖｅのレベルと、これに対応するＡ／Ｄコンバータ３３の出力値Ｄｉとの関係を示している。また、判定処理のための閾値ＴＨ０〜ＴＨ３を合わせて図示している。
【００４７】
続いて、以上の構成からなる異常検出回路ＤＥＴの動作内容を説明する。この動作は、不正検知基板３０から出力される異常検知信号Ｖｅを、払出制御基板２５において判定することで実現される。図５（ａ）は、この払出制御基板２５における動作内容を説明するフローチャートである。
【００４８】
払出制御部２５では、電源投入後、初期処理（ＳＴ１）を終えた後は、一定時間毎のタイマ割込みに同期して（ＳＴ２）、必要時には、遊技球の払出動作（ＳＴ７）を繰り返し実行している。そして、この遊技球の払出動作に平行して、毎回、各種のスイッチ信号が入力される（ＳＴ３）。ここで入力されるデータには、遊技球の払出に関する計数スイッチのデータだけでなく、入力ポート３４から取得される異常検知信号Ｖｅのデジタル値Ｄｉも含まれている。
【００４９】
したがって、データ入力処理（ＳＴ３）の後に、先ず、図６（ａ）に示す異常判定処理（ＳＴ４）が実行される。図６（ｂ）に示す通り、本実施例では、４個の磁気センサＳＷ０〜ＳＷ３が遊技機に装着されているので、予め４つの閾値ＴＨ０〜ＴＨ３（例えば、ＴＨ３＝２００，ＴＨ２＝１８０，ＴＨ１＝１５０，ＴＨ０＝１００）が決定されている。
【００５０】
判定手順としては、ＣＰＵコア３５は、先ず、エラーフラグＥＲＲをゼロクリアした後（ＳＴ４０）、Ａ／Ｄコンバータ３４から受けた検出値Ｄｉと閾値ＴＨ３とを比較する（ＳＴ４１）。この結果、閾値ＴＨ３より検出値Ｄｉが大きい場合は、全ての磁気センサＳＷ０〜ＳＷ３がオフ状態であるので、何もしないで処理を終える。
【００５１】
一方、検出値Ｄｉが閾値ＴＨ３以下の値の場合は、エラーフラグＥＲＲを１にセットした後（ＳＴ４２）、検出値Ｄｉと閾値ＴＨ２の値を比較する（ＳＴ４３）。そして、閾値ＴＨ２より検出値Ｄｉが大きい場合は、磁気センサＳＷ３がオン状態であるとして、判定フラグＦＧに３を設定して処理を終える（ＳＴ４４）。
【００５２】
以下同様に、ステップＳＴ４５の判定によって、閾値ＴＨ１の値より検出値Ｄｉが大きい場合は、磁気センサＳＷ２がオン状態であるとして判定フラグＦＧに２を設定して処理を終える（ＳＴ４６）。また、ステップＳＴ４７の判定によって、閾値ＴＨ０の値より検出値Ｄｉが大きい場合は、磁気センサＳＷ１がオン状態であるとして判定フラグＦＧに１を設定して処理を終える（ＳＴ４８）。一方、検出値Ｄｉが閾値ＴＨ３以下の値の場合は、磁気センサＳＷ０がオンであるとして判定フラグＦＧに０を設定して処理を終える（ＳＴ４９）。
【００５３】
以上のようにして異常判定処理（ＳＴ４、図６のＳＴ４０〜ＳＴ４９）が終わると、次に、異常判定処理によってエラーフラグＥＲＲがセットされたか否かが判定され（図５のＳＴ５）、もしＥＲＲ＝１であれば、主制御部２１に対して、出力ポート３６から、Ｈレベルの異常信号ＥＲを出力する。また、ステイタス信号ＣＯＮを判定フラグＦＧの値（０〜３）の値に対応する値に設定して、出力ポート３６から主制御部２１に出力する。なお、その後は、本来の払出処理に移行する（ＳＴ７）。これは、磁気センサＳＷが異常にオン動作する可能性も捨て切れないため、遊技者とのトラブルを回避するためである。
【００５４】
何れにしても、ステップＳＴ６の処理によって、異常信号ＥＲは、正常値であるＬレベルから異常値であるＨレベルに変化する。そこで、主制御部２１では、これに対応して異常報知処理を実行する。
【００５５】
図５（ｂ）は、この異常報知処理に関わる主制御部２１の動作を説明するフローチャートである。図示の通り、主制御部２１では、主たる遊技制御動作（ＳＴ１５）をタイマ割込み処理によって実行している。そして、遊技制御動作の一環として、毎回、スイッチ信号のデータ入力処理が実行される（ＳＴ１０）。
【００５６】
ここで、入力されるデータには、各入賞口のスイッチデータだけでなく、払出制御部２５から供給される異常信号ＥＲも含まれている。そして、異常信号ＥＲが正常なＬレベルであれば、ステップＳＴ１２〜ＳＴ１４の処理をスキップするが、もし、異常信号ＥＲが異常値であるＨレベルであれば、ステイタス信号ＣＯＮの値に基づいて、異常内容を把握する（ＳＴ１２）。先に説明した通り、異常信号ＥＲがＨレベルである場合には、２ビットのステイタス信号ＣＯＮは、判定フラグＦＧの値に対応して、異常磁界によってオン動作した磁気センサＳＷを特定している。
【００５７】
したがって、異常内容を把握した主制御部２１は、異常内容を特定する異常報知コマンド（制御コマンドＣＭＤ）を生成して、演出制御部２２に伝送する（ＳＴ１３）。そして、その後は、係員によってエラー解除スイッチ（不図示）が押圧されるのを待つ（ＳＴ１４）。なお、この待機中は、演出制御部２２によって音声による異常報知がされ、液晶制御部２４によって液晶ディスプレイでの異常報知がされる。
【００５８】
以上の通り、本実施例では、磁気センサＳＷ０〜ＳＷｎの何れがオン状態になったかを、バッファ３２に入力される異常検知信号Ｖｅの電圧レベルで特定しているので、磁気センサＳＷｉの個数の増加に拘わらず、不正検知基板３０と払出制御基板２５の配線を三本にまとめることができる。また、正常時には、分圧回路３１を形成している抵抗Ｒ０〜Ｒｎに電流が流れず、無駄な消費電力を浪費しないという利点もある。
【００５９】
また、第１実施例において、最上流側の抵抗Ｒ０と電源電圧Ｖｃｃについては、不正検知基板３０ではなく、払出制御基板２５の配置するのも好適である。図４（ｂ）は、この変形例を示す回路図である。図４（ｂ）のような回路構成を採ると、磁気センサＳＷｉの個数に拘わらず、不正検知基板３０と払出制御基板２５との配線が、たった二本で足りる利点がある。
【００６０】
ところで、図４（ａ）や図４（ｂ）の異常検出回路ＤＥＴでは、オン状態となる磁気センサＳＷｉが、ＳＷ０→ＳＷ１→ＳＷ２→ＳＷ３のように変化すると、これに応じて、異常検知信号Ｖｅも、０→１／２Ｖｃｃ→２／３Ｖｃｃ→３／４Ｖｃｃのように増加する。このように、異常検知信号はＶｅ＝ｉ／（ｉ＋１）×Ｖｃｃで与えられ、等間隔には増加しないので、磁気センサＳＷｉの個数が増加すると判定精度にやや問題が生じるおそれがある。そこで、かかる点を解消するためには、図７の回路構成が採用される。
【００６１】
図７（ａ）は、第２実施例の異常検出回路ＤＥＴを示す回路図である。第２実施例では、不正検知基板３０には、ｎ＋１個の磁気センサＳＷ０〜ＳＷｎと、ｎ＋１個の抵抗Ｒｎ〜Ｒ０とが搭載されている。そして、全ての抵抗Ｒｎ〜Ｒ０は、電源電圧Ｖｃｃとグランドとの間に直列接続されて分圧回路３１を構成している。なお、全ての抵抗は、同一抵抗値Ｒである。
【００６２】
この実施例では、全ての磁気センサＳＷ０〜ＳＷｎの一端は、共通的に接続されて異常検知信号Ｖｅの出力端子を構成している。一方、磁気センサＳＷ０〜ＳＷｎの他端は個々別々であり、最上流の磁気センサＳＷｎの他端は、電源電圧Ｖｃｃに接続され、その他の磁気センサＳＷｉの他端は、分圧回路３１において隣接する抵抗Ｒｉ及び抵抗Ｒｉ＋１の接続点に接続されている。
【００６３】
この実施例では、全ての抵抗Ｒ０〜Ｒｎが同一抵抗値Ｒであることから、電源電圧Ｖｃｃがｎ＋１分割される。したがって、オン状態となる磁気センサＳＷｉが、ＳＷ０→ＳＷ１→・・・→ＳＷｎのように変化すると、これに応じて異常検知信号Ｖｅも、Ｖｃｃ／ｎ→２Ｖｃｃ／ｎ→３Ｖｃｃ／ｎ・・・→Ｖｃｃのように等間隔で増加する（図７（ｂ）参照）。なお、全ての磁気センサＳＷｉがオフ状態である正常状態では、出力端子とグランド間に接続された負荷抵抗Ｒｋのために、異常検知信号Ｖｅはゼロボルトとなる。この意味において、分圧回路３１は、負荷抵抗Ｒｋと共に、正確なＤ／Ａコンバータを構成していることになる。なお、負荷抵抗Ｒｋの値は、異常検出電圧Ｖｅのレベルに影響を与えないよう、抵抗値Ｒより十分大きく設定されているのは勿論である。
【００６４】
この実施例では、磁気センサＳＷｉの個数が増加しても、異常検知信号Ｖｅが等間隔で変化するので、第１実施例より判定精度に優れている。但し、全ての磁気センサＳＷ０〜ＳＷｎがオフ状態である正常状態でも、常に各抵抗Ｒ０〜Ｒｎに直流電流が流れるので消費電力の無駄がある。また、不正検知基板３０と払出制御基板２５との配線は、三本未満には抑制できない。
【００６５】
なお、払出制御基板２５は、第１実施例の場合とほぼ同様に構成されている。しかし、バッファ３６の非反転端子（＋）が、抵抗Ｒｋ及びコンデンサＣを経由してグランドに接続される点が第１実施例とは異なる。先に説明した通り、この抵抗Ｒｋは、異常検知信号Ｖｅにとっての負荷抵抗として機能している。そして、全ての磁気センサＳＷｉがオフ状態である正常状態において、不正検知基板３０の異常検知信号レベルＶｅをゼロボルトに固定している。なお、この抵抗Ｒｋを設けない場合には、正常時の異常検知信号Ｖｅが不定となり、Ａ／Ｄコンバータ３３を誤動作するおそれがある。
【００６６】
図８は、第３実施例の異常検出回路ＤＥＴを示す回路図である。この実施例では、不正検知基板３０と払出制御基板２５とで、ＯＰアンプ３２Ａによる反転加算回路ＡＤＤを形成し、ＯＰアンプ３２の出力電圧を異常検知信号Ｖｅとして活用している。すなわち、この異常検出回路ＤＥＴは、基準電圧−ＶｒをＯＰアンプ３２Ａの反転入力端子（−）に供給する入力抵抗Ｒ０〜Ｒｎ−１と、ゼロボルトをＯＰアンプ３２Ａの反転入力端子（−）に供給する入力抵抗Ｒｎと、ＯＰアンプ３２Ａの出力端子と反転入力端子（−）との間に接続される帰還抵抗Ｒｆとで構成されている。なお、ＯＰアンプ３２Ａの非反転端子（＋）はグランドに接続されている。
【００６７】
ここで、帰還抵抗Ｒｆの抵抗値Ｒに対して、入力抵抗Ｒ０〜Ｒｎ−１は、Ｒ０＝Ｒ、Ｒ１＝Ｒ／２、・・・、Ｒｉ＝Ｒ／２ｉに設定され、ゼロボルトを受ける入力抵抗Ｒｎは、例えば、Ｒｎ＝Ｒに設定されている。そのため、異常検出回路ＤＥＴの入出力特性は、例えば、全ての磁気センサＳＷｉがオン状態である場合に、Ｖｅ＝Ｖｒ×（１＋２＋４＋８）−０×１＝１５×Ｖｒとなる。
【００６８】
その他の場合の入出力特性は、図７（ｂ）に示す通りであり、ＯＰアンプ３２Ａによる反転加算回路ＡＤＤは、正確なＤ／Ａコンバータとして機能することになる。したがって、ＯＰアンプ３２の出力電圧Ｖｅを、Ａ／Ｄコンバータ３３で受けることによってＣＰＵコア３５は、オン状態となっている磁気センサＳＷｉを特定することが可能となる。そのため、この構成によれば、磁気センサＳＷｉの個数が増加しても、異常反応した磁気センサを具体的に特定することができる。
【００６９】
第３実施例の場合には、例えば、磁気センサＳＷｉに代えてドアスイッチを配置した場合にも、どのドアスイッチがオン動作したかを正確に判定することができ、防犯対策上有効である。すなわち、(1)ガラス扉６が前枠３から開放されたこと、(2)前枠３が外枠１から開放されたこと、(3)前面板７を前枠３から開放されたことが、それぞれＡ／Ｄコンバータ３３の出力から特定できるので、例えば、上記(1)の動作を経ることなく、上記(2)の動作が検出されるような異常事態を把握することが可能となる。そして、把握された異常事態は、第1実施例と同様の手順で異常報知することができる。
【００７０】
なお、入力抵抗Ｒｎは、全ての磁気センサＳＷｉがオフ状態である正常状態において、ＯＰアンプ３２Ａの反転入力端子（−）への入力電圧を不定値にしないための抵抗であり、いわばダミー抵抗である。したがって、その抵抗値は、特に帰還抵抗Ｒｆと同一値にする必要はなく、適宜な値に設定される。但し、ダミー抵抗Ｒｎを設けない場合には、全ての磁気センサＳＷｉがオフ状態である正常状態において、Ａ／Ｄコンバータ３３が誤動作するおそれがある。
【００７１】
いずれにしても、この入力抵抗（ダミー抵抗）Ｒｎは、必ずしも、不正検知基板３０に配置する必要はなく、図９のように、払出制御基板２５に配置するのも好適である。この場合には、不正検知基板３０と払出制御基板２５との間は、磁気センサＳＷｉやドアスイッチの個数に拘わらず、たった二本の配線で接続できる利点がある。
【００７２】
以上、本発明の実施例を具体的に説明したが、具体的な記載内容は何ら本発明を限定するものではなく、各種の改変が可能である。
【００７３】
例えば、第３実施例に限らず、第1実施例及び第２実施例の場合にも、磁気センサに代えてドアスイッチを配置することができる。また、オン／オフ動作をするセンサ素子であれば、何ら磁気センサやドアスイッチに限定されない。更にまた、種類の異なる各種のオン／オフ素子を同一の回路に混在させても良く、何れにしても、本発明の各実施例によれば、センサ素子の個数や種類に限らず、不正検知基板３０と払出制御基板２５との接続が三本又は二本で足りる利点がある。
【００７４】
また、不正検知基板からの異常検知信号Ｖｅを受ける中央基板としては、払出制御基板２５に限定される必要はなく、主制御基板２１その他でも良い。例えば、演出制御基板２２に搭載されるワンチップマイコンに、Ａ／Ｄコンバータが内蔵されている場合には、異常検知信号Ｖｅを演出制御部２２で受ける構成を採ると、わざわざＡ／Ｄコンバータを追加して演出制御部２２に搭載する必要がない。また、異常報知においても主制御部２１の負担を軽減することができる。例えば、図５（ｂ）のステップＳＴ１１〜ＳＴ１４の処理を、主制御部２１で実行する必要がなく、払出制御部２５も、図５（ａ）のステップＳＴ４〜ＳＴ６の処理を実行する必要がない。
【００７５】
なお、何れの実施例も、弾球遊技機に限定される必要はなく、スロットマシンを含む他の遊技機にも好適に適用できるのは勿論である。それは、スロットマシンにおいてもコイン検出部やその他の検出部を強力な磁界によって誤動作させる不正行為があり得るからである。
【図面の簡単な説明】
【００７６】
【図１】実施例のパチンコ機の斜視図である。
【図２】パチンコ機の遊技盤を示す正面図である。
【図３】図１のパチンコ機の全体構成を示すブロック図である。
【図４】第1実施例の異常検知回路を示す回路図である。
【図５】図４の回路に関する払出制御部と主制御部の動作内容を示すフローチャートである。
【図６】図５の動作の一部を詳細に示すフローチャートである。
【図７】第２実施例の異常検知回路を示す回路図である。
【図８】第３実施例の異常検知回路を示す回路図である。
【図９】図８の変形回路例である。
【符号の説明】
【００７７】
３０      センサ部
２５      判定部
ＤＥＴ      異常検出回路
Ｒ０〜Ｒｎ  複数個の抵抗
３１      分圧回路
ＳＷｉ      スイッチ素子
Ｖｃｃ      電源電圧
【図１】
2008142370.tif 000003
【図２】
2008142370.tif 000004
【図３】
2008142370.tif 000005
【図４】
2008142370.tif 000006
【図５】
2008142370.tif 000007
【図６】
2008142370.tif 000008
【図７】
2008142370.tif 000009
【図８】
2008142370.tif 000010
【図９】
2008142370.tif 000011